(57)【要約】【課題】中央に光源を設けてもその影響を受けることなく、光センサの誤作動を防止できるＬＥＤ照明器具を提供する。【解決手段】器具本体２０は、第１ＬＥＤ発光部３１と、この出射方向に対して入射端面３２１が対面するように器具本体２０の側面２４に配置された導光板３２とを備えた第１発光部３０を収容する。また、器具本体２０は、第２ＬＥＤ発光部５１と、器具本体２０の底面６０に隣接して設けられ第２ＬＥＤ発光部の光を透過する透過パネルと、第２ＬＥＤ発光部と底面との間に設けられた筒部５３とを備えた第２発光部５０を収容する。さらに、器具本体２０は、筒部５３の内側に配置され、第２発光部５０の光照射方向に向けて配置された光センサ６３と、底面６０に設けられた受光孔６２とを有する。そして、底面６０は、第２発光部５０が照明する方向に向かって透過パネル５２の表面と同等以上突出して形成されている。このため、光センサ６３は、第２発光部５０の影響を受けず、誤作動を防止できる。【選択図】図３
2015095391.tif 000002
【特許請求の範囲】
【請求項１】
側面および底面を有する器具本体と、
前記器具本体の側面から延出して支持されるとともに、前記器具本体に収容された第１ＬＥＤ発光部の光を導光して出射する導光板を有する第１発光部と、
前記器具本体に収容された第２ＬＥＤ発光部の光を透過し、前記底面から出射する第２発光部と、
前記器具本体に収容された光センサと、
前記底面において、前記第２発光部に近接して設けられるとともに、前記光センサの配置箇所に対応する前記底面の箇所に設けられた受光孔とを備え、
前記受光孔の位置は、前記第２発光部の位置よりも前記第２発光部が照明する方向に向かい同等以上突出して設けられているＬＥＤ照明器具。
【発明の詳細な説明】
【技術分野】
【０００１】
本発明は、光センサを有するＬＥＤ照明器具に関するものである。
【背景技術】
【０００２】
従来、周囲の明るさを検知する光センサを備え、周囲の明るさに対応して配光制御する照明器具が知られている（例えば、特許文献１参照）。
図７に示すように、特許文献１に記載の照明器具１００では、天井面１０１等に取り付けられる円板状のシャーシ１０２を有する。シャーシ１０２には、円板状であって光拡散性を有する透光カバー１０３が取り付けられている。透光カバー１０３の中央部には、円板状のセンターカバー１０４が、着脱可能に取り付けられている。
【０００３】
シャーシ１０２には、ＬＥＤモジュール１０５が設けられており、ＬＥＤモジュール１０５を制御する制御部（図示省略）が収容されている。ＬＥＤモジュール１０５にはレンズ１０９が設けられており、ＬＥＤモジュール１０５から放射された光を集光し、集光した光を所定の方向へ放射する。シャーシ１０２には、回路基板１０６が取り付けられており、光センサ（照度センサ）１０７を実装したセンサ基板１０８が接続されている。また、光センサ１０７は、照明器具の底面部分に位置するセンターカバー１０４に設けられた貫通孔を通して、下方に露出している。
これにより、光センサ１０７で検出した照度に応じて、制御部（図示省略）は、ＬＥＤモジュール１０５からの光の明るさを調整する。
【先行技術文献】
【特許文献】
【０００４】
【特許文献１】特開２０１２−２２８４９号公報（第３図）
【発明の概要】
【発明が解決しようとする課題】
【０００５】
前述したような特許文献１に記載の照明器具１００においては、中央部はセンターカバー１０４で覆われて暗くなっているので、この部分に光センサ１０７を配置すれば、光センサ１０７は、ＬＥＤモジュール１０５からの光の悪影響を受けにくくなる。
しかしながら、このような照明器具１００は下方から見上げると、センターカバーの存在により、中央部が暗くなってしまう。このような中央部が暗くなることを防止するために、例えばセンターカバー１０４内の照明器具内に光源を配置することが考えられる。ところが、その場合には、センターカバー１０４内に配置した光源の影響を受けて光センサが誤作動する虞ある。このようなことから、照明器具１００の底面部に光源を配置した場合には、この底面部に光センサを配置することができないという問題があった。
【０００６】
本発明は、従来の問題を解決するためになされたもので、照明器具の底面に光源を設けても光センサに悪影響を与えることなく、光センサのセンシング特性を良好に維持し、誤作動を防止することのできるＬＥＤ照明器具を提供することを目的とする。
【課題を解決するための手段】
【０００７】
本発明のＬＥＤ照明器具は、側面および底面を有する器具本体と、前記器具本体の側面から延出して支持されるとともに、前記器具本体に収容された第１ＬＥＤ発光部の光を導光して出射する導光板を有する第１発光部と、前記器具本体に収容された第２ＬＥＤ発光部の光を透過し、前記底面から出射する第２発光部と、前記器具本体に収容された光センサと、前記底面において、前記第２発光部に近接して設けられるとともに、前記光センサの配置箇所に対応する前記底面の箇所に設けられた受光孔とを備え、前記受光孔の位置は、前記第２発光部の位置よりも前記第２発光部が照明する方向に向かい同等以上突出して設けられているものである。
【発明の効果】
【０００８】
本発明では、受光孔は、器具本体の底面において、第２発光部に近接して設けられるとともに、光センサの配置箇所に対応する前記底面の箇所に設けられている。
このため、光センサは、第２発光部の影響を受け難くなり、誤作動を防止できるという効果を有するＬＥＤ照明器具を提供できる。
【図面の簡単な説明】
【０００９】
【図１】本発明に係る実施形態のＬＥＤ照明器具を天井面に取り付けた状態を下方から見た斜視図
【図２】本発明に係る実施形態のＬＥＤ照明器具を上方から見た斜視図
【図３】図１中ＩＩＩ−ＩＩＩ位置の断面図
【図４】上ＬＥＤ発光部（下ＬＥＤ発光部）と上導光板（下導光板）との位置関係を示す説明図
【図５】受光孔位置で切断したＬＥＤ照明器具の斜視図
【図６】受光孔位置で切断したＬＥＤ照明器具の要部断面図
【図７】従来の照明器具の断面図
【発明を実施するための形態】
【００１０】
以下、本発明に係る実施形態のＬＥＤ照明器具について、図面を用いて説明する。
図１に示すように、実施形態のＬＥＤ照明器具１０は、例えば天井面１１に取り付けて、主に下方を照明するのに用いることができる。
なお、以下の説明においては、ＬＥＤ照明器具１０を天井面１１に取り付けた状態で、天井面１１側を「上」、天井面１１と反対側（すなわち、床側）を「下」とする。
【００１１】
まず、ＬＥＤ照明器具１０の全体構成を概説する。
図１および図２に示すように、ＬＥＤ照明器具１０は、天井面１１に取り付けられる器具本体２０を有する。
器具本体２０の下側には上導光板３２が配置されており、上導光板３２の下側には、上導光板３２を下側から支持する不透光性で、反射特性を備えた白色系の上カバー３３が、器具本体２０に取り付けられている。
【００１２】
上カバー３３の下側には下導光板４２が上導光板３２と平行に配置されており、下導光板４２の下側には、下導光板４２を下側から支持する不透光性で、反射特性を備えた白色系の下カバー４３が設けられている。上導光板３２は、器具本体２０の側面から外方に延びて設けられている。
下カバー４３は下方からの平面視においてリング形状をしており、この下カバー４３に囲まれた内側には、この下カバー４３に隣接してリング状のセンターレンズ（透過パネル）５２が下カバー４３の内周に沿って設けられている。
リング状のセンターレンズ５２の内側には、リング状の中央カバー６０が設けられ、中央カバー６０の内側には円板状の蓋６１が着脱可能に取り付けられている。そして、平面視におけるこれら下カバー４３、センターレンズ５２、中央カバー６０、蓋６１によってＬＥＤ照明器具１０の底面となっている。
中央カバー６０には、光センサ６３（図５参照）用の受光孔６２が設けられている。
【００１３】
以下、各構成部位について詳述する。
図２および図３に示すように、器具本体２０は、例えば、アルミニウム等の金属で全体円板形状に形成されている。器具本体２０の中央には、天井面１１に取り付けられている引掛けシーリング（図示省略）に取り付けられる取付アダプタ２２用の開口２１を有する。
器具本体２０は、中央の平坦部２３の外周端から下方に向かって外側へ傾斜して折り曲げられて、立壁（側面）２４が形成されている。立壁２４は、下端部が外側へ折り曲げられて水平部２５が設けられている。
【００１４】
立壁２４は、後述する上ＬＥＤ発光部（第１ＬＥＤ発光部）３１の配置に対応しており、平面視で例えば六角形に形成されていて、各立壁２４は、平面状に形成されている。なお、平坦部２３には、複数個（ここでは、例えば３個）の弾性部材２６が取り付けられている。
従って、蓋６１を外して、取付アダプタ２２を引掛シーリングに取り付けることにより電気的及び機械的に接続され、器具本体２０は天井面１１に取り付けられる。このとき、弾性部材２６が器具本体２０と天井面１１との間で弾性変形して、器具本体２０のぐらつきを防止する。
【００１５】
図３に示すように、器具本体２０の内側には、上発光部（第1発光部）３０が設けられている。上発光部３０は、上ＬＥＤ発光部３１および上導光板３２が設けられている。
上ＬＥＤ発光部３１は、ＬＥＤチップ３１１とＬＥＤチップ３１１が実装されたＬＥＤ基板３１２を有する。
上ＬＥＤ発光部３１は、器具本体２０の内側で、平坦部２３の下面に接するように設けられており、立壁２４の配置（ここでは、六角形）に対応して、６個設けられている。
【００１６】
また、上ＬＥＤ発光部３１の下方には、上カバー３３が、器具本体２０に取り付けられている。上カバー３３は、器具本体２０に取り付けられて外側へ水平に延びるリング状の水平支持部３３１と、水平支持部３３１の外周端から外側に向かって上昇する傾斜支持部３３２を有する。
傾斜支持部３３２の上端３３３は、器具本体２０の水平部２５と対向しており、器具本体２０の水平部２５と上カバー３３の上端３３３との間には、上導光板３２が支持されている。
【００１７】
上導光板３２は、全体円板状を呈しており、中央には中空部（図示省略）を有する。中空部は、器具本体２０に支持され六角形に配置された上ＬＥＤ発光部３１に対応して、六角形に形成されている。上導光板３２は、表面にリブや印刷を設けて配光制御することができる。
上導光板３２の中空部側端面は、ＬＥＤ基板３１２のＬＥＤチップ３１１に対向する入射端面３２１となる（図４参照）。
【００１８】
図１および図３に示すように、上カバー３３の下側には、下カバー４３が器具本体２０に支持されている。上カバー３３と下カバー４３との間には、下導光板４２が支持されている。下導光板４２は、器具本体２０の側面から外方に延びて設けられている。
図３に示すように、下導光板４２は、上カバー３３の水平支持部３３１の下面と、下カバー４３の上端４３１との間に支持されている。
なお、下導光板４２は、上導光板３２よりも小さいが、前述した上導光板３２と同様の構成をしているので、詳細な説明は省略することとする。
【００１９】
上カバー３３と下カバー４３との間には、下発光部４０が設けられている。下発光部４０は、下ＬＥＤ発光部４１および下導光板４２を有する。
下ＬＥＤ発光部４１は、ＬＥＤチップ４１１とＬＥＤチップ４１１が実装されたＬＥＤ基板４１２を有する。ＬＥＤチップ４１１には、下導光板４２の入射端面４２１が対向している（図４中カッコ書き参照）。
【００２０】
下カバー４３は不透光性であり、上端４３１が下導光板４２に接触する押え部４３２と、押え部４３２に連結される天板部４３３を有する。
センターレンズ５２の上方には、上ＬＥＤ発光部３１および下ＬＥＤ発光部４１の出射方向（水平方向）に対して直交する方向、すなわち、下方に光を照射する第２発光部５０が設けられている。
【００２１】
第２発光部５０は、第２ＬＥＤ発光部５１と、中央カバー６０に隣接して設けられるセンターレンズ５２と、第２ＬＥＤ発光部５１と中央カバー６０との間に設けられた筒部５３を有する。
図５および図６に示すように、第２ＬＥＤ発光部５１は、リング板状のＬＥＤ基板５１２に、ＬＥＤチップ５１１をリング状に複数個配列して形成することができ、ＬＥＤチップ５１１は、下方へ向いている。第２ＬＥＤ発光部５１の照射方向（下方）には、センターレンズ５２が取り付けられている。
従って、第２ＬＥＤ発光部５１から発せられた光は、センターレンズ５２を介して配光制御され、主に真下に照射されて照明する。
【００２２】
光センサ６３は中央カバー６０に設けられた受光孔６２の内部（上側）に設けられている。すなわち、光センサ６３は、筒部５３の内側（中心側）に配置され、器具本体２０に収容されており、受光孔６２を通して第２発光部５０の光照射方向（下方）に向けて配置されている。
光センサ６３は、上発光部３０、下発光部４０および第２発光部５０を配光制御する電源装置２７に接続されており、光センサ６３が電源装置２７に送信した検知信号に基づいて、電源装置２７が各発光部を制御する。電源装置２７は、器具本体２０の内部に収容されている。
【００２３】
図６に示すように、中央カバー６０の下面６０１は、第２発光部５０が照明する方向（下方）に向かって、センターレンズ５２の下面（表面）５２１と同等以上突出して形成されている。すなわち、中央カバー６０の下面６０１は、センターレンズ５２の下面５２１と同一面か、センターレンズ５２の下面５２１よりも下方に位置する。
従って、中央カバー６０の下面６０１は、天井面１１に取り付けられたＬＥＤ照明器具１０のうちで、最も床面側（下方）に位置することになる。
【００２４】
ＬＥＤ照明器具１０の作用効果について説明する。
ＬＥＤ照明器具１０では、器具本体２０は、上発光部３０を収容する。上発光部３０は、上ＬＥＤ発光部３１と、上ＬＥＤ発光部３１の出射方向に対して入射端面３２１が対面するように器具本体２０の立壁２４に配置された上導光板３２と、を有する。
また、器具本体２０は、第２発光部５０を収容する。第２発光部５０は、第２ＬＥＤ発光部５１と、器具本体２０の中央カバー６０に隣接して設けられて第２ＬＥＤ発光部５１の光を透過させるセンターレンズ５２と、第２ＬＥＤ発光部５１と中央カバー６０との間に設けられた筒部５３とを有する。
さらに、器具本体２０は、筒部５３の内側に配置され、第２発光部５０の光照射方向に向けて配置された光センサ６３と、中央カバー６０における光センサ６３の配置箇所に対応する箇所に設けられた受光孔６２とを有する。
【００２５】
そして、中央カバー６０は、第２発光部５０が照明する方向に向かってセンターレンズ５２の下面５２１と同等以上突出して設けられている。
また、受光孔６２の位置は、第２発光部５０、すなわち、センターレンズ５２の下面５２１の位置よりも第２発光部５０が照明する方向に向かい同等以上突出して設けられている。
このため、光センサ６３は、中央カバー６０に設けられている受光孔６２を通って周囲の明るさを検知するので、上発光部３０、下発光部４０および第２発光部５０からの光の影響を受け難くなり、誤作動を防止できる。
【００２６】
本発明のＬＥＤ照明器具は、前述した実施形態に限定されるものでなく、適宜な変形、改良等が可能である。
例えば、前述した実施形態において、第１発光部を上発光部３０とした場合について例示したが、第１発光部を下発光部４０としても全く同様である。
また、前述した実施形態において、円形の器具本体について説明したが、本発明は四角形状等の器具本体の対向する側面から導光板が延出するように構成された照明器具等に用いてもよい。
【符号の説明】
【００２７】
１０  ＬＥＤ照明器具
２０  器具本体
２４  側面
３０  上発光部（第１発光部）
３１  上ＬＥＤ発光部（第１ＬＥＤ発光部）
３２  導光板
３２１  入射端面
５０  第２発光部
５１  第２ＬＥＤ発光部
５２  センターレンズ（透過パネル）
５３  筒部
６０  底面
６３  光センサ
６２  受光孔
【図１】
2015095391.tif 000003
【図２】
2015095391.tif 000004
【図３】
2015095391.tif 000005
【図４】
2015095391.tif 000006
【図５】
2015095391.tif 000007
【図６】
2015095391.tif 000008
【図７】
2015095391.tif 000009